(57)【要約】【課題】ＩＰ網を用いたコンテンツ配信システムにおいて、コンテンツを視聴するユーザを面倒な操作から開放することにある。【解決手段】  ＩＰ網を用いたコンテンツ配信システムにおいて、ＩＰ網内にパーソナライズドコンテンツナビゲーションサーバを設け、該サーバによって、前記ＩＰ網上で配信される多数の映像コンテンツを視聴する個々のユーザの代わりにユーザの嗜好に合ったお勧め番組の編成とチャネルの切換えを実行するサービスを提供する。【選択図】      図１
2005311676.tif 000002
【特許請求の範囲】
【請求項１】
映像コンテンツを配信する配信サーバと、配信サーバから配信される前記映像コンテンツを受信して画面に表示するユーザ端末と、前記映像コンテンツを前記配信サーバから前記ユーザ端末へ転送するＩＰ網とを具えるコンテンツ配信システムにおいて、
前記ＩＰ網内にパーソナライズドコンテンツナビゲーションサーバを設け、該サーバによって、前記ＩＰ網上で配信される多数の映像コンテンツを視聴する個々のユーザの代わりに番組選択及び選択番組へのアクセスを実行するサービスを提供することを特徴とするパーソナライズドコンテンツナビゲーション方法。
【請求項２】
請求項１記載のパーソナライズドコンテンツナビゲーション方法において、前記パーソナライズドコンテンツナビゲーションサーバが、ユーザ毎に予め登録されている配信サーバの番組情報とユーザの嗜好情報に基づいて当該ユーザの嗜好に合ったお勧め番組を選択し番組編成を行い、該番組編成に基づく番組の切替え時期に当該ユーザの端末に対して番組チャンネルの切換え制御を行う仮想チャネルを提供することを特徴とするパーソナライズドコンテンツナビゲーション方法。
【請求項３】
請求項１または２記載のパーソナライズドコンテンツナビゲーション方法において、さらに、前記パーソナライズドコンテンツナビゲーションサーバが、ユーザ毎のお勧め番組編成時に、ユーザの嗜好情報を元に選択された複数の番組の配信時間帯の一部または全部が重複する場合には、当該ユーザの端末に対して１つの番組の配信はその時間に開始する制御を行い、前記他の番組は一時蓄積し、前記１つの番組の配信終了後に次の番組として前記一時蓄積した前記他の番組コンテンツを当該ユーザの端末に配信することを特徴とするパーソナライズドコンテンツナビゲーション方法。
【請求項４】
請求項１-３の何れかに記載のパーソナライズドコンテンツナビゲーション方法において、さらに、前記パーソナライズドコンテンツナビゲーションサーバが、前記ＩＰ網上に前記配信サーバから配信される複数のコンテンツデータを受信し、配信中の番組情報および特定のユーザの嗜好情報に基づいてお勧め番組の順位付けを行い、それらのコンテンツデータを上記お勧め順に合成して一度にプレビューできるサムネール画面を作成し、当該ユーザに配信することを特徴とするパーソナライズドコンテンツナビゲーション方法。
【請求項５】
映像コンテンツを配信する配信サーバと、配信サーバから配信される前記映像コンテンツを受信して画面に表示するユーザ端末と、前記映像コンテンツを前記配信サーバから前記ユーザ端末へ転送するＩＰ網とを具えるコンテンツ配信システムにおいて、
前記ＩＰ網内にパーソナライズドコンテンツナビゲーションサーバを設け、該パーソナライズドコンテンツナビゲーションサーバは、前記ＩＰ網上で配信される多数の映像コンテンツを視聴する個々のユーザの代わりに番組選択及び選択番組へのアクセスを代行する機能を具えることを特徴とするパーソナリズドコンテンツナビゲーションシステム。
【請求項６】
請求項５記載のパーソナライズドコンテンツナビゲーションシステムにおいて、前記パーソナライズドコンテンツナビゲーションサーバは、ユーザ毎の嗜好情報および配信契約情報の登録・管理・更新を行うユーザ情報管理機能と、コンテンツ配信サーバからの番組情報を収集する番組情報管理機能と、前記ユーザ情報管理機能からのユーザの嗜好情報および前記番組情報管理機能からの番組情報を元に当該ユーザの嗜好に合ったお勧め番組を選択し番組編成を行い、該番組編成に基づく番組の切替え時期に当該ユーザの端末に対して番組チャンネル切替え指示を送り番組チャネルの切換え制御を行う仮想チャネルを提供するユーザ毎番組編成管理機能とを具えることを特徴とするパーソナライズコンテンツナビゲーションシステム。
【請求項７】
請求項５または６記載のパーソナライズドコンテンツナビゲーションシステムにおいて、前記パーソナライズドコンテンツナビゲーションサーバは、さらに、ユーザ毎番組タイムシフト機能を具え、前記ユーザ毎番組編成管理機能は、ユーザ毎の番組編成時に、ユーザの嗜好情報を元に選択された複数の番組の配信時間帯の一部または全部が重複する場合には、当該ユーザの端末に対して１つの番組の配信はその時間に開始する制御を行う機能と、他の番組に対しては前記ユーザ毎番組タイムシフト機能に対して一時蓄積要求を行い、前記他の番組を前記ユーザ毎番組タイムシフト機能に一時蓄積させる機能と、前記１つの番組の配信終了後に次の番組として前記ユーザ毎番組タイムシフト機能に一時蓄積した前記他の番組コンテンツを当該ユーザの端末に配信するよう制御する機能とを持つことを特徴とするパーソナライズドコンテンツナビゲーションシステム。
【請求項８】
請求項５-７の何れかに記載のパーソナライズドコンテンツナビゲーションシステムにおいて、前記パーソナライズドコンテンツナビゲーションサーバは、さらに、前記ＩＰ網上に前記配信サーバから配信される複数のコンテンツデータを受信し、配信中の番組情報および特定のユーザの嗜好情報に基づいてお勧め番組の順位付けを行い、それらのコンテンツデータをお勧め順に合成して一度にプレビューできるサムネール画面を作成し、当該ユーザに配信する機能を持つユーザ毎プレビュー作成機能を具えることを特徴とするパーソナライズドコンテンツナビゲーションシステム。
【請求項９】
ユーザ毎の嗜好情報および配信契約情報の登録・管理・更新を行うユーザ情報管理機能と、
コンテンツ配信サーバからの番組情報を収集する番組情報管理機能と、
前記ユーザ情報管理機能からのユーザの嗜好情報および前記番組情報管理機能からの番組情報を元に当該ユーザの嗜好に合ったお勧め番組を選択し番組編成を行う機能及び該番組編成に基づく番組の切替え時期に当該ユーザの端末に対して番組チャンネル切替え指示を送り、当該ユーザ端末に対して番組チャネルの切換え制御を行なわせる機能を持つユーザ毎番組編成管理機能と、
を具えることを特徴とするパーソナライズコンテンツナビゲーションサーバ。
【請求項１０】
請求項９記載のパーソナライズドコンテンツナビゲーションサーバにおいて、
当該パーソナライズドコンテンツナビゲーションサーバは、さらに、ユーザ毎番組タイムシフト機能を具え、
前記ユーザ毎番組編成管理機能は、ユーザ毎の番組編成時に、ユーザの嗜好情報を元に選択された複数の番組の配信時間帯の一部または全部が重複する場合には、当該ユーザの端末に対して１つの番組の視聴はその時間に開始させる制御を行う機能と、他の番組に対しては前記ユーザ毎番組タイムシフト機能に対して一時蓄積要求を行い、前記他の番組を前記ユーザ毎番組タイムシフト機能に一時蓄積させる機能と、前記１つの番組の配信終了後に次の番組として前記ユーザ毎番組タイムシフト機能に一時蓄積した前記他の番組コンテンツを当該ユーザの端末に配信するよう制御する機能とを持つことを特徴とするパーソナライズドコンテンツナビゲーションサーバ。
【請求項１１】
請求項９または１０に記載のパーソナライズドコンテンツナビゲーションサーバにおいて、
当該パーソナライズドコンテンツナビゲーションサーバは、さらに、前記ＩＰ網上に前記配信サーバから配信される複数のコンテンツデータを受信する機能と、前記番組情報管理機能及び前記ユーザ情報管理機能からの配信中の番組情報および特定のユーザの嗜好情報に基づいてお勧め番組の順位付けを行う機能と、上記複数の番組の一部を上記お勧め順に合成して一度にプレビューできるようなサムネール画面を作成する機能と、作成したサムネール画面をプレビューとして当該ユーザ端末に配信する機能を持つユーザ毎プレビュー作成機能を具えることを特徴とするパーソナライズドコンテンツナビゲーションサーバ。
【発明の詳細な説明】
【技術分野】
【０００１】
本発明は、ＩＰ網を用いたコンテンツ配信システムにおいて、多数のコンテンツ配信業者により多数のチャンネルを介して非常に多くの映像コンテンツが配信されている場合に、個々のユーザの視聴するコンテンツをナビゲーションするコンテンツナビゲーション方式に関する。
【背景技術】
【０００２】
コンテンツ配信事業者は各社のＷｅｂ上に番組へのアクセスポイントを用意しており、ユーザは自分の端末で各社の番組表を閲覧し、自分の嗜好に合わせて取捨選択することで視聴が開始できた。各コンテンツ配信事業者のＷｅｂではレイアウト等を各社独自に工夫をしており、テキスト文書あるいは静止画像あるいは比較的単純なの動きのある画像にてユーザヘのプロモーションを行ってきた。
【０００３】
また、コンテンツナビゲーションサーバを用いてユーザ端末からユーザ属性情報と視聴履歴情報を収集し、収集したユーザ属性情報と視聴履歴情報から統計処理によりユーザ毎の視聴傾向情報を求め、これをパーソナライズドナビゲーション情報としてユーザに供給することが提案されている（特許文献１参照）。しかし、この場合にも、ユーザは端末でコンテンツナビゲーションサーバにアクセスし、パーソナリズドナビゲーション情報の提供を受け、好きな番組を選択するなどの面倒な操作の必要がある。
【０００４】
【特許文献１】特開２００４−３０３０１号公報
【発明の開示】
【発明が解決しようとする課題】
【０００５】
従来の技術においては、ユーザが視聴を開始するまでにユーザに対して多くの操作や能動的な取捨選択を迫るものであり、ユーザの視聴意欲を減退させる態様にあり、パーソナライズドコンテンツナビゲーション情報の提供によっても視聴機会を増やすためには大きな障璧となる。
【０００６】
従って、本発明の目的は、ユーザの代わりにユーザの嗜好に合ったお勧め番組の編成とチャネルの切換えを実行し、ユーザを面倒な番組選択などの操作から開放するサービスを提供するパーソナライズドコンテンツナビゲーション方法、システム及び該システムに用いるパーソナライズドコンテンツナビゲーションサーバを提供することにある。
【課題を解決するための手段】
【０００７】
本発明に係るパーソナライズドコンテンツナビゲーション方法は、映像コンテンツを配信する配信サーバと、配信サーバから配信される前記映像コンテンツを受信して画面に表示するユーザ端末と、前記映像コンテンツを前記配信サーバから前記ユーザ端末へ転送するＩＰ網とを具えるコンテンツ配信システムにおいて、前記ＩＰ網内にパーソナライズドコンテンツナビゲーションサーバを設け、該サーバによって、前記ＩＰ網上で配信される多数の映像コンテンツを視聴する個々のユーザの代わりに番組選択及び選択番組へのアクセスを実行するサービスを提供することを特徴とする。
【０００８】
本発明のパーソナライズドコンテンツナビゲーション方法においては、前記パーソナライズドコンテンツナビゲーションサーバが、ユーザ毎に予め登録されている配信サーバの番組情報とユーザの嗜好情報に基づいて当該ユーザの嗜好に合ったお勧め番組を選択し番組編成を行い、該番組編成に基づく番組の切替え時期に当該ユーザの端末に対して番組チャンネルの切換え制御を行う仮想チャネルを提供することを特徴とする。
【０００９】
本発明のパーソナライズドコンテンツナビゲーション方法においては、さらに、前記パーソナライズドコンテンツナビゲーションサーバが、ユーザ毎のお勧め番組編成時に、ユーザの嗜好情報を元に選択された複数の番組の配信時間帯の一部または全部が重複する場合には、当該ユーザの端末に対して１つの番組の配信はその時間に開始する制御を行い、前記他の番組は一時蓄積し、前記１つの番組の配信終了後に次の番組として前記一時蓄積した前記他の番組コンテンツを当該ユーザの端末に配信することを特徴とする。
【００１０】
本発明のパーソナライズドコンテンツナビゲーション方法においては、さらに、前記パーソナライズドコンテンツナビゲーションサーバが、前記ＩＰ網上に前記配信サーバから配信される複数のコンテンツデータを受信し、配信中の番組情報およびあるユーザの嗜好情報に基づいてお勧め番組の順位付けを行い、前記複数の番組の一部を上記お勧め順に合成して一度にプレビューできるようなサムネール画面を作成し、当該ユーザに配信することを特徴とする。
【００１１】
さらに、本発明に係るパーソナライズドコンテンツナビゲーションシステムは、前記映像コンテンツを配信する配信サーバと、配信サーバから配信される前記映像コンテンツを受信して画面に表示するユーザ端末と、前記映像コンテンツを前記配信サーバから前記ユーザ端末へ転送するＩＰ網とを具えるコンテンツ配信システムにおいて、前記ＩＰ網内にパーソナライズドコンテンツナビゲーションサーバを設け、該パーソナライズドコンテンツナビゲーションサーバは、前記ＩＰ網上で配信される多数の映像コンテンツを視聴する個々のユーザの代わりに番組選択及び選択番組へのアクセスを代行する機能を具えることを特徴とする。
【００１２】
本発明のパーソナライズドコンテンツナビゲーションシステムにおいては、前記パーソナライズドコンテンツナビゲーションサーバは、ユーザ毎の嗜好情報および配信契約情報の登録・管理・更新を行うユーザ情報管理機能と、コンテンツ配信サーバからの番組情報を収集する番組情報管理機能と、前記ユーザ情報管理機能からのユーザの嗜好情報および前記番組情報管理機能からの番組情報を元に当該ユーザの嗜好に合ったお勧め番組を選択し番組編成を行い、該番組編成に基づく番組の切替え時期に当該ユーザの端末に対して番組チャンネル切替え指示を送り番組チャネルの切換え制御を行う仮想チャネルを提供するユーザ毎番組編成管理機能とを具えることを特徴とする。
【００１３】
本発明のパーソナライズドコンテンツナビゲーションシステムにおいては、前記パーソナライズドコンテンツナビゲーションサーバは、さらに、ユーザ毎番組タイムシフト機能を具え、前記ユーザ毎番組編成管理機能は、ユーザ毎の番組編成時に、ユーザの嗜好情報を元に選択された複数の番組の配信時間帯の一部または全部が重複する場合には、当該ユーザの端末に対して１つの番組の配信はその時間に開始する制御を行う機能と、他の番組に対しては前記ユーザ毎番組タイムシフト機能に対して一時蓄積要求を行い、前記他の番組を前記ユーザ毎番組タイムシフト機能に一時蓄積させる機能と、前記１つの番組の配信終了後に次の番組として前記ユーザ毎番組タイムシフト機能に一時蓄積した前記他の番組コンテンツを当該ユーザの端末に配信するよう制御する機能とを持つことを特徴とする。
【００１４】
本発明のパーソナライズドコンテンツナビゲーションシステムにおいては、前記パーソナライズドコンテンツナビゲーションサーバは、さらに、前記ＩＰ網上に前記配信サーバから配信される複数のコンテンツデータを受信し、配信中の番組情報および特定のユーザの嗜好情報に基づいてお勧め番組の順位付けを行い、上記複数の番組の一部を上記お勧め順に合成して一度にプレビューできるようなサムネール画面を作成し、当該ユーザ端末に配信する機能を持つユーザ毎プレビュー作成機能を具えることを特徴とする。
【発明の効果】
【００１５】
本発明のパーソナライズドコンテンツナビゲーション方法及びシステムによれば、パーソナライズドコンテンツナビゲーションサーバがユーザの代わりにユーザ嗜好に合ったお勧め番組の編成とチャネルの切換えを代行するので、ユーザはコンテンツ視聴のための面倒な操作から開放される。また、ユーザは新たなコンテンツ配信会社のサービス開始を知らなくても、新たなコンテンツの配信を受けることができる。コンテンツ配信会社はプロモーションのコストと労力が削減される。
【発明を実施するための最良の形態】
【００１６】
以下、本発明を実施の形態について図面を参照して説明する。
図１は本発明に係るパーソナライズドコンテンツナビゲーションシステムの好適実施例の構成を示す図である。
本システムは、図１に示すように、コンテンツ配信会社Ａ，Ｂの映像コンテンツを配信する配信サーバ１１Ａ，１１Ｂと、配信サーバ１１Ａ，１１Ｂから配信される映像コンテンツを受信して画面に表示するユーザ宅Ａ，Ｂ内のユーザ端末１２Ａ，１２Ｂと、これらの映像コンテンツを配信サーバ１１Ａ，１１Ｂからユーザ端末１２Ａ，１２Ｂ，１２Ｃへ転送するＩＰ網１３と、ＩＰ網１３上で配信される多数の映像コンテンツを視聴する個々のユーザ１２Ａ，１２Ｂの代わりに番組選択及び選択番組へのアクセスを実行するサービスを提供するパーソナライズドコンテンツナビゲーションサーバ１４とを具える。尚、図には、説明の便宜上及び図面を簡単にするために、２つの配信サーバと２つのユーザ端末しか示してないが、実際には多数の配信サーバと多数のユーザ端末が存在する。
【００１７】
パーソナライズドコンテンツナビゲーションサーバ１４は、ユーザ毎の嗜好情報および配信契約情報の登録・管理・更新を行うユーザ情報管理機能１４１と、コンテンツ配信サーバからの番組情報を収集する番組情報管理機能１４２と、ユーザ毎の番組編成およびユーザ端末に対し該番組編成に基づく番組配信チャネルの切替え制御を行なう仮想チャネルを提供するユーザ毎番組編成管理機能１４３と、ユーザ毎に配信コンテンツの一部を一時蓄積および配信するユーザ毎タイムシフト機能１４４と、コンテンツ配信サーバからの配信コンテンツデータを収集してユーザ毎に最適なプレビュー画面の合成を行いユーザに配信するユーザ毎プレビュー作成機能１４５と、広告会社からの広告コンテンツの情報を管理する広告ＤＢ機能１４６とから構成される。
【００１８】
次に、本システムの動作について説明する。
ユーザ毎番組編成管理機能１４３は、図２に示すように、ユーザ情報管理機能１４１からのユーザの嗜好情報および番組情報管理機能１４２からの番組情報を元に当該ユーザの嗜好に合ったお勧め番組（例えばＡ社とＢ社の番組）を選択してお勧め番組編成を代行し、該番組編成に基づくＡ社とＢ社の番組配信チャネルの切替え時期にユーザ端末１２に対してチャンネル切替え指示を送りチャネルの切換えを代行する仮想チャネルを提供する。チャンネル切替指示を受けたユーザ端末は、現在視聴中のＡ社の配信サーバからのチャンネルのフローを停止し、新たなＢ社の配信サーバからのチャンネルのフローの要求を行う。
【００１９】
従って、本システムによれば、視聴したいユーザは端末１２をこの仮想チャネルにあわせるだけで、ユーザの代わりにパーソナライズコンテンツナビゲーションサーバ内のユーザ毎番組編成管理機能１４３がユーザ嗜好に合ったお勧め番組編成とチャネルの切換えを代行してくれるので、ユーザはＩＰ網上に存在する多数のコンテンツの中から自分の嗜好にあった複数の番組を自動的に視聴することができる。
【００２０】
本システムでは、さらに、ユーザ毎番組編成管理機能１４３は、複数の番組、例えばＡ社の番組とＢ社の番組の時間帯が重複している場合には、図３に示すように、ユーザ端末に対してＡ社の番組の配信をその時間に開始する制御を行い、Ｂ社の番組はユーザ毎番組タイムシフト機能１４４に対して一時蓄積要求を行う。一時蓄積要求を受けると、ユーザ毎番組タイムシフト機能１４４はＢ社の番組の配信サーバヘ視聴要求を行ってＢ社の番組を一時蓄積する。Ａ社の番組の配信が終了すると、ユーザ毎番組編成機能１４３はユーザ端末１２に対してユーザ毎番組タイムシフト機能１４４のチャンネルヘのチャンネル切替え指示を送りチャネルの切換え制御を行なわせる。チャンネル切替指示を受けたユーザ端末は、Ａ社の番組の配信サーバのチャンネルから、ユーザ毎番組タイムシフト機能１４４のチャネルに切換え、ユーザ毎番組タイムシフト機能１４４から一時蓄積されたＢ社の番組の配信を受ける。
【００２１】
本システムでは、さらに、ユーザ毎プレビュー作成機能１４５が、配信サーバ１１Ａ，１１Ｂから配信される複数のコンテンツデータを収集し、番組情報管理機能１４２及びユーザ情報管理機能１４１からの配信中の番組情報及びユーザの嗜好情報を元に、ユーザの嗜好に合ったお勧めコンテンツを選択して順位付けを行い、それらのコンテンツデータにプレビュー用の処理を行い、お勧め順に並べたプレビュー用のサムネール画面を作成する。コンテンツデータに対するプレビュー用の処理とは、音声データの消去、画面の縮小、画面の一部の不可視化の処理である。さらに、ユーザ情報管理機能１４１からのユーザ嗜好情報および広告ＤＢ機能１４６からの広告情報を元に、当該ユーザに対して最適な広告をプレビューに挿入する。ユーザは端末をユーザ毎プレビュー作成機能１４５の配信するチャンネルに合わせて配信要求することで、このプレビュー画面を閲覧することができる。ユーザ端末にはユーザの選択を可能とする入出力デバイスを具備し、ユーザはプレビュー画面から番組を選択し視聴を開始することができる。ユーザの番組選択結果はユーザ嗜好情報に反映することで、より精度の高いお勧め番組の選択が可能となる。
【００２２】
図５は本システムにおけるビジネスフローを示す。
上述したように、本システムでは、パーソナライズドコンテンツナビゲーションサーバが、ユーザの代わりにユーザの嗜好に合ったお勧め番組の編成とチャネルの切換えを代行するサービスを提供し、コンテンツ配信会社の代わりにコンテンツの販促を代行し、広告会社の代わりにユーザの嗜好に合った最適な広告を配信するので、パーソナライズドコンテンツナビゲーションサービス提供事業者は、ユーザからはユーザの嗜好に合ったお勧め番組の編成とチャネルの切換えを代行するサービス料を、コンテンツ配信会社はコンテンツ販促料を、広告会社からは広告料を得ることができる。また、パーソナライズドコンテンツナビゲーションサービス提供事業者はコンテンツ配信会社のユーザからの視聴料金収集の代行をすることもできる。
【００２３】
従って、本システムでは、パーソナライズドコンテンツナビゲーションサーバがユーザの代わりにユーザ嗜好に合ったお勧め番組編成とチャネルの切換えを代行するので、面倒な番組選択などの操作から開放されるとともに、ユーザは新たなコンテンツ配信会社のサービス開始を知らなくても、新たなコンテンツの配信を受けることができる。コンテンツ配信会社はプロモーションのコストと労力が削減される。また、広告会社に代わってユーザの嗜好情報に基づいた最適な広告を配信するので、広告会社は大きな広告効果を期待できる。また、ユーザ端末にコスト要因となるような機能(大容量ハードディスクの搭載など)を要求しないため、ユーザは低コストで本システムに加入することができる。また、広告会社からの広告宣伝費によりユーザの本システム加入継続にかかわるコスト負担は低減される。
【００２４】
以上、本発明のパーソナライズドコンテンツナビゲーション方法及びシステムの手順及び機能について説明したが、これらの手順又は機能はコンピュータによって実行又は実現することができ、本発明はこれらの手順又は機能を実行又は実現するためのコンピュータプログラム及び該当コンピュータプログラムを記録した記録媒体も本発明の範囲に含むものである。
【図面の簡単な説明】
【００２５】
【図１】本発明に係るパーソナライズドコンテンツナビゲーションシステムの実施の形態を示す図である。
【図２】本システムにおけるパーソナライズド番組編成/チャネル切換え代行サービスの動作を説明する図である。
【図３】本システムにおけるタイムシフト機能の動作を説明する図である。
【図４】本システムにおけるパーソナライズド・プレビュー・サービスの動作を説明する図である。
【図５】本システムにおけるビジネスフローの例を説明する図である。
【符号の説明】
【００２６】
１１Ａ．１１Ｂ  配信サーバ
１２Ａ，１２Ｂ  ユーザ端末
１３  ＩＰ網
１４  パーソナライズドコンテンツナビゲーションサーバ
１４１  ユーザ情報管理機能
１４２  番組情報管理機能
１４３  ユーザ毎番組編成管理機能
１４４  ユーザ毎タイムシフト機能
１４５  ユーザ毎プレビュー作成機能
１４６  広告データベース機能
【図１】
2005311676.tif 000003
【図２】
2005311676.tif 000004
【図３】
2005311676.tif 000005
【図４】
2005311676.tif 000006
【図５】
2005311676.tif 000007